(57)【要約】【課題】幅をコンパクト化可能なレンズ鏡筒を提供する。【解決手段】レンズ鏡筒１において、ズームレンズ群Ｌ４は、変倍作用のある唯一のレンズ群である。ズームモータ３００（ズームコイル３０１及びズーム磁石３０２）は、第２光軸ＡＸ２を基準として、フォーカスモータ８００（フォーカスコイル８０１及びフォーカス磁石８０２）と同じ側に配置されている。【選択図】図３
2015025827.tif 000002
【特許請求の範囲】
【請求項１】
第１光軸に沿って入射する光を前記第１光軸に略直交する第２光軸に沿って反射させる反射部材と、
撮像素子と、
前記反射部材の前記撮像素子側に配置され、変倍作用のあるただ１つのズームレンズ群と、
前記ズームレンズ群の前記第２光軸に沿った移動を駆動するズームコイルおよびズーム磁石と、
前記撮像素子の前記ズームレンズ群側に配置され、焦点調整作用のあるフォーカスレンズ群と、
前記フォーカスレンズ群の前記光軸に沿った移動を駆動するフォーカスコイルおよびフォーカス磁石と、
前記ズームレンズ群と前記フォーカスレンズ群との間に配置され、前記撮像素子への光の遮蔽及び通過を制御するシャッターユニットと、
前記ズームレンズ群と前記フォーカスレンズ群との間に配置され、前記撮像素子における結像画像のぶれを補正する像ぶれ補正レンズ群を有する像ぶれ補正ユニットと、
を備え、
前記ズームコイル及び前記ズーム磁石は、前記第１光軸方向から見て、前記第２光軸に対して、前記フォーカスコイル及び前記フォーカス磁石と同じ側に配置される、
レンズ鏡筒。
【請求項２】
前記シャッターユニットは、シャッター羽と、前記シャッター羽の開閉動作を駆動させるためのシャッターコイル及びシャッター磁石と、を有し、
前記シャッターコイル及び前記シャッター磁石は、前記第１光軸方向から見て、前記第２光軸に対して、前記ズームコイル、前記ズーム磁石、前記フォーカスコイル及び前記フォーカス磁石と同じ側に配置される、
請求項１に記載のレンズ鏡筒。
【発明の詳細な説明】
【技術分野】
【０００１】
ここに開示される技術は、光学系を備えるレンズ鏡筒に関する。
【背景技術】
【０００２】
従来、入射光を反射する反射部材と撮像素子との間に、第１ズームレンズ群、シャッターユニット、像ぶれ補正ユニット、第２ズームレンズ群及びフォーカスレンズ群を順次配置する手法が知られている（特許文献１参照）。
【先行技術文献】
【特許文献】
【０００３】
【特許文献１】特開平９−１５４７５号公報
【発明の概要】
【発明が解決しようとする課題】
【０００４】
しかしながら、特許文献１に記載の手法では、第１及び第２ズームレンズ群を共通のアクチュエータで駆動させるために、シャッターユニット及び像ぶれ補正ユニットの側方にズーム駆動軸が配置されている。そのため、シャッターユニット及び像ぶれ補正ユニットが、レンズ鏡筒の側方に突出してしまうため、レンズ鏡筒の幅をコンパクトにすることが困難である。
そこで、ここに開示される技術は、上述のような状況に鑑みてなされたものであり、幅をコンパクト化可能なレンズ鏡筒を提供することを目的とする。
【課題を解決するための手段】
【０００５】
ここに開示されるレンズ鏡筒は、第１光軸に沿って入射する光を第１光軸に略直交する第２光軸に沿って反射させる反射部材と、撮像素子と、反射部材の撮像素子側に配置され、変倍作用のあるただ１つのズームレンズ群と、ズームレンズ群の第２光軸に沿った移動を駆動するズームコイルおよびズーム磁石と、撮像素子のズームレンズ群側に配置され、焦点調整作用のあるフォーカスレンズ群と、フォーカスレンズ群の光軸に沿った移動を駆動するフォーカスコイルおよびフォーカス磁石と、ズームレンズ群とフォーカスレンズ群との間に配置され、撮像素子への光の遮蔽及び通過を制御するシャッターユニットと、ズームレンズ群とフォーカスレンズ群との間に配置され、撮像素子における結像画像のぶれを補正する像ぶれ補正レンズ群を有する像ぶれ補正ユニットと、を備える。ズームコイル及びズーム磁石は、第１光軸方向から見て、第２光軸に対して、フォーカスコイル及びフォーカス磁石と同じ側に配置される。
【発明の効果】
【０００６】
ここに開示される技術によれば、幅をコンパクト化可能なレンズ鏡筒を提供することができる。
【図面の簡単な説明】
【０００７】
【図１】レンズ鏡筒の分解斜視図
【図２】レンズ鏡筒の断面図
【図３】レンズ鏡筒の正面透視図
【発明を実施するための形態】
【０００８】
［１．レンズ鏡筒の構成］
図１は、実施形態に係るレンズ鏡筒１の分解斜視図である。図２は、実施形態に係るレンズ鏡筒１の断面図である。図２は、第１光軸ＡＸ１と第２光軸ＡＸ２を含む平面でレンズ鏡筒１を切断した断面図である。
なお、以下の説明では、第１光軸ＡＸ１に沿った方向を「第１方向」、第１光軸ＡＸ１に直交する第２光軸ＡＸ２に沿った方向を「第２方向」、第１光軸ＡＸ１及び第２光軸ＡＸ２に直交する方向を「第３方向」と称する。
図１及び図２に示すように、レンズ鏡筒１は、１群枠１００、２群枠２００、ズームモータ３００、シャッターユニット４００、像ぶれ補正ユニット５００、固定枠６００、４群枠７００、フォーカスモータ８００及び撮像素子９００を備える。
【０００９】
１群枠１００は、前玉レンズ群Ｌ１と、プリズムＬ２と、固定レンズＬ３と、を保持する。前玉レンズ群Ｌ１は、第１光軸ＡＸ１を有する。プリズムＬ２は、第１方向に入射する光線を第２方向に屈曲させる。
２群枠２００は、変倍作用のあるズームレンズ群Ｌ４を保持する。２群枠２００は、１群枠１００の内部において第２方向に移動自在に保持される。ズームレンズ群Ｌ４は、プリズムＬ２の撮像素子９００側に配置されている。ズームレンズ群Ｌ４は、レンズ鏡筒１において、唯一、変倍作用を有するレンズ群である。
ズームモータ３００は、１群枠１００の側面に取り付けられる。ズームモータ３００は、１群枠１００の内部において２群枠２００を第２方向に移動させる。ズームモータ３００の構成については後述する。
【００１０】
シャッターユニット４００は、撮像素子９００に向かう光の遮蔽と通過を制御することによって、撮像素子９００に当たる光量を調整する。シャッターユニット４００は、１群枠１００の撮像素子９００側に配置される。
シャッターユニット４００は、図１に示すように、シャッター羽４０１と、シャッターコイル４０２と、シャッター磁石４０３と、を有する。シャッターコイル４０２及びシャッター磁石４０３は、シャッター羽４０１を開閉駆動させるアクチュエータを構成している。
像ぶれ補正ユニット５００は、撮像素子９００における結像画像のぶれを補正する。像ぶれ補正ユニット５００は、シャッターユニット４００の撮像素子９００側に配置される。像ぶれ補正ユニット５００は、可動枠５１０と、３群枠５２０と、を有する。
【００１１】
可動枠５１０は、シャッターユニット４００の撮像素子９００側に配置され、像ブレ補正レンズＬ５を保持する。可動枠５１０は、３群枠５２０によって、第２光軸ＡＸ２に垂直な面内で移動可能に支持される。３群枠５２０は、１群枠１００に連結される。３群枠５２０は、固定枠６００に支持される。
ここで、可動枠５１０は、図１に示すように、第１補正用磁石５１１と、第２補正用磁石５１２と、を有する。３群枠５２０は、図１に示すように、第１補正用コイル５２１と、第２補正用コイル５２２と、を有する。第１補正用磁石５１１及び第１補正用コイル５２１は、可動枠５１０を第１方向に駆動させるアクチュエータを構成している。第２補正用磁石５１２及び第２補正用コイル５２２は、可動枠５１０を第３方向に駆動させるアクチュエータを構成している。
【００１２】
固定枠６００は、３群枠５２０を支持する。固定枠６００は、第２方向に摺動可能に４群枠７００を保持する。固定枠６００の下端部には、固定レンズ群Ｌ７が固定され、固定枠６００の側面には、フォーカスモータ８００が取り付けられる。
４群枠７００は、焦点調節作用のあるフォーカスレンズ群Ｌ６を保持する。４群枠７００は、固定枠６００の内部において第２方向に摺動可能に保持されている。４群枠７００は、像ブレ補正レンズＬ５の撮像素子９００側に配置される。４群枠７００は、フォーカスモータ８００によって駆動される。
フォーカスモータ８００は、固定枠６００の側面に取り付けられる。フォーカスモータ８００の下端面には、シールド板８１０が貼り付けられる。シールド板８１０は、高透磁率材料によって構成される。シールド板８１０は、フォーカスモータ８００から発生する磁力線が撮像素子９００に向かわないように遮蔽する。フォーカスモータ８００の構成については後述する。
【００１３】
撮像素子９００は、板金９１０に接着固定されている。板金９１０は、間に遮蔽部材９３０を挟んで固定枠６００の下端部に固定されている。撮像素子９００は、フレキシブルプリント基板９２０に電気的に接続されている。
［２．レンズ鏡筒の内部配置］
次に、図３を参照しながら、レンズ鏡筒１の内部配置について説明する。図３は、レンズ鏡筒１を第１方向から見たレンズ鏡筒１の正面透視図である。
ズームモータ３００は、ズームコイル３０１と、ズーム磁石３０２と、ズーム駆動軸３０３と、を有する。ズームコイル３０１及びズーム磁石３０２は、ズーム駆動軸３０３に沿ってズームレンズ群Ｌ４を駆動させるアクチュエータを構成する。
フォーカスモータ８００は、フォーカスコイル８０１と、フォーカス磁石８０２と、フォーカス駆動軸８０３と、を有する。フォーカスコイル８０１及びフォーカス磁石８０２は、フォーカス駆動軸８０３に沿ってフォーカスレンズ群Ｌ６を駆動させるアクチュエータを構成する。
【００１４】
ここで、ズームモータ３００は、図３に示すように、第２光軸ＡＸ２を基準として、フォーカスモータ８００と同じ側に配置される。すなわち、ズームモータ３００及びフォーカスモータ８００は、被写体側から見て光学系の右側にまとめて配置される。また、ズームモータ３００は、シャッターユニット４００及び像ぶれ補正ユニット５００を挟んで、フォーカスモータ８００と略対称に配置されている。
また、シャッターコイル４０２及びシャッター磁石４０３は、図３に示すように、第２光軸ＡＸ２を基準として、ズームモータ３００及びフォーカスモータ８００と同じ側に配置されている。また、シャッターコイル４０２及びシャッター磁石４０３は、第１方向から見た場合に、ズームモータ３００とフォーカスモータ８００とに挟まれている。
また、図３に示すように、レンズ鏡筒１が備える全てのアクチュエータ（モータを含む）が、第３方向における前玉レンズ群Ｌ１の一端を示す第１基準線Ｓを基準として、同じ側に配置されている。すなわち、全てのアクチュエータが、前玉レンズ群Ｌ１の一端から側方に突出していない。
【００１５】
また、図３に示すように、レンズ鏡筒１が備える全てのアクチュエータそれぞれの第３方向における中点は、第１基準線Ｓを基準として、同じ側に配置されている。具体的には、ズームコイル３０１及びズーム磁石３０２のペアの第１中点Ｔ１と、フォーカスコイル８０１及びフォーカス磁石８０２のペアの第２中点Ｔ２と、シャッターコイル４０２及びシャッター磁石４０３のペアの第３中点Ｔ３と、第１補正用磁石５１１及び第１補正用コイル５２１のペアの第４中点Ｔ４と、第２補正用磁石５１２及び第２補正用コイル５２２のペアの第５中点Ｔ５と、が第１基準線Ｓの第２光軸ＡＸ２側にまとめて配置されている。
さらに、図３に示すように、全てのアクチュエータが、第３方向におけるズームモータ３００の外側端を示す第２基準線Ｖよりも第２光軸ＡＸ２側に配置されている。すなわち、全てのアクチュエータが、ズームモータ３００の外側端から側方に突出していない。
【００１６】
また、図３に示すように、第１乃至第５中点Ｔ１〜Ｔ５は、第２基準線Ｖよりも第２光軸ＡＸ２側に配置されている。すなわち、第１乃至第５中点Ｔ１〜Ｔ５は、第２基準線Ｖの第２光軸ＡＸ２側にまとめて配置されている。
［３．まとめ］
（１）実施形態に係るレンズ鏡筒１において、ズームレンズ群Ｌ４は、変倍作用のある唯一のレンズ群である。ズームモータ３００（ズームコイル３０１及びズーム磁石３０２）は、第２光軸ＡＸ２を基準として、フォーカスモータ８００（フォーカスコイル８０１及びフォーカス磁石８０２）と同じ側に配置されている。
従って、図３に示すように、ズームモータ３００とフォーカスモータ８００との間にシャッターユニット４００と像ぶれ補正ユニット５００とを介挿させることができる。そのため、シャッターユニット４００と像ぶれ補正ユニット５００が、第３方向においてレンズ鏡筒１の側方に突出することを抑制できるので、レンズ鏡筒１の幅をコンパクト化することができる。
【００１７】
このようなレンズ鏡筒１は、第３方向において互いに密着させて配列させることができるので、２つ以上の鏡筒を備える複眼式撮像装置において特に好適に利用できる。
（２）シャッターコイル４０２及びシャッター磁石４０３は、図３に示すように、第２光軸ＡＸ２を基準として、ズームモータ３００及びフォーカスモータ８００と同じ側に配置されている。
従って、ズームモータ３００とフォーカスモータ８００の間にシャッターコイル４０２及びシャッター磁石４０３を配置することによって、シャッターユニット４００が、レンズ鏡筒１の一側方に突出することを抑制しやすいので、第３方向におけるレンズ鏡筒１の幅を容易にコンパクト化できる。
（３）全てのアクチュエータの第３方向における中点（Ｔ１〜Ｔ５）は、第３方向における前玉レンズ群Ｌ１の一端を示す第１基準線Ｓを基準として、同じ側に配置されている。
【００１８】
従って、シャッターユニット４００や像ぶれ補正ユニット５００のアクチュエータがレンズ鏡筒１の一側方に突出することを抑制しやすいので、第３方向におけるレンズ鏡筒１の幅を容易にコンパクト化できる。
（４）全てのアクチュエータの第３方向における中点（Ｔ１〜Ｔ５）は、第３方向におけるズームモータ３００の外側端を示す第２基準線Ｖの第２光軸側に配置されている。
従って、シャッターユニット４００や像ぶれ補正ユニット５００のアクチュエータがレンズ鏡筒１の他側方に突出することを抑制できるので、第３方向におけるレンズ鏡筒１の幅をさらにコンパクト化できる。
［４．その他の実施形態］
（Ａ）上記実施形態において、像ぶれ補正ユニット５００は、シャッターユニット４００の撮像素子９００側に配置されることとしたが、これに限られるものではない。シャッターユニット４００及び像ぶれ補正ユニット５００は、ズームレンズ群Ｌ４とフォーカスレンズ群Ｌ６との間に配置されていればよく、シャッターユニット４００が像ぶれ補正ユニット５００の撮像素子９００側に配置されていてもよい。
【００１９】
（Ｂ）上記実施形態において、各アクチュエータの位置を図３に示したが、各アクチュエータの位置は、図３に示される位置に限られない。各アクチュエータの位置は、図３の位置から第１乃至第３方向それぞれにずれていてもよい。ただし、この場合においても、多数のアクチュエータが、第２光軸ＡＸ２を基準として片側にまとめられていることが好ましい。
【産業上の利用可能性】
【００２０】
ここに開示された技術によれば、幅をコンパクト化可能なレンズ鏡筒を提供することができるので、例えば、カメラ、カメラ付き携帯電話、カメラ付きポータブル端末等に適用できる。
【符号の説明】
【００２１】
１    レンズ鏡筒
１００    １群枠
２００    ２群枠
３００    ズームモータ
３０１    ズームコイル
３０２    ズーム磁石
４００    シャッターユニット
４０１    シャッター羽
４０２    シャッターコイル
４０３    シャッター磁石
５００    像ぶれ補正ユニット
５１０    可動枠
５１１    第１補正用磁石
５１２    第２補正用磁石
５２１    第１補正用コイル
５２２    第２補正用コイル
５２０    ３群枠
６００    固定枠
７００    ４群枠
８００    フォーカスモータ
８０１    フォーカスコイル
８０２    フォーカス磁石
９００    撮像素子
９１０    板金
９２０    フレキシブルプリント基板
８１０    シールド板
Ｓ    第１基準線
Ｖ    第２基準線
【図１】
2015025827.tif 000003
【図２】
2015025827.tif 000004
【図３】
2015025827.tif 000005